(57)【要約】【課題】  本来１つの作業器を、左右中央部分から左右に分離可能かつ左右入れ替え可能とし、外盛り作業あるいは培土作業と、畝形成作業との２つの作業が行えるようにする。【解決手段】  作業部４は、左右の中央部分７，７を対向させた状態で作業する第１の作業位置では外盛り作業あるいは培土作業を行い、左右の中央部分７，７が左右両側位置となるように入れ替えて作業する第２の作業位置では畝形成作業を行う。掘り上げ刃部７の底部に底板７ｂを設けた。第１の作業位置における中央部分７，７の前側にスキ先刃１３を設け、該スキ先刃１３の左右幅内で左右の作業部４の間隔を調節可能とする。作業部４を第２の作業位置にして作業するとき、成形板８の後部位置に所定深さまで嵌挿する畝形成板１４を上下反転可能に設け、畝形成板１４の上下の一方に平畝形成部１４ｂ、他方に丸畝形成部１４ａを設けた。成形板８の底部接地部分に接地安定板８ｄを設けた。【選択図】図１
2005052095.tif 000002
【特許請求の範囲】
【請求項１】
牽引車の連結部に連結されるヒッチ部と、該ヒッチ部に長さ方向中央部分が固着され、牽引車の移動方向と直交する左右水平方向に所定長さで延びる作業部取付け杆と、該作業部取付け杆の左右両側部に、作業部を支持して左右移動、固定可能、かつ左右入れ替え可能に嵌挿される作業部支持部と、該作業部支持部に支持され、左右中央部分から左右に分離可能の左右一対の作業部と、を備え、
前記作業部は、左右の中央部分を対向させた状態で作業する第１の作業位置では土壌を左右両側に盛り上げる外盛り作業、あるいは左右に培土する培土作業を行い、左右の中央部分が左右両側位置となるように入れ替えて作業する第２の作業位置では畝形成作業を行うことを特徴とする外盛り・培土、畝成形作業器。
【請求項２】
前記作業部は、第１の作業位置における中央部分において土壌を掘り上げて左右に送り出す掘り上げ刃部と、該掘り上げ刃部の底部に設けられ、土壌面に接して掘り上げ刃部を安定して移動させる底板と、掘り上げ刃部により掘り上げられた土壌を側方に向け盛り上げる成形板と、からなることを特徴とする請求項１記載の外盛り・培土、畝成形作業器。
【請求項３】
前記作業部は、第１の作業位置における中央部分の前側に、前記掘り上げ刃部とは別の所定幅を有するスキ先刃を設け、該スキ先刃の左右幅内で左右の作業部の間隔を調節可能としたことを特徴とする請求項１又は２記載の外盛り・培土、畝成形作業器。
【請求項４】
前記作業部を第２の作業位置にして作業するとき、前記成形板の後部位置において上方から所定深さ位置まで成形板に対して嵌挿する畝形成板を上下反転可能に取付け、該畝形成板は、上下の一方に平畝を形成する直線状の平畝形成部を設け、他方に丸畝を形成する円弧状の丸畝形成部を設けたことを特徴とする請求項１、２又は３記載の外盛り・培土、畝成形作業器。
【請求項５】
前記成形板の底部接地部分に、所定幅を有する接地安定板を設けたことを特徴とする請求項１、２、３又は４記載の外盛り・培土、畝成形作業器。
【発明の詳細な説明】
【技術分野】
【０００１】
本発明は、本来１つの作業器を、左右中央部分から左右に２つに分離可能、かつ左右入れ替え可能とし、左右への外盛り作業あるいは培土作業と、畝形成作業とが行えるようにし、畝形成作業では丸畝と平畝が成形できる外盛り・培土、畝成形作業器に関する。
【背景技術】
【０００２】
従来、牽引車（動力耕耘機やトラクタ）の連結部に連結され、土壌を左右両側に盛り上げる外盛り作業、あるいは左右に培土する培土作業や溝浚え作業を行う作業器が、例えば特許文献１により周知である。また、同様に牽引車（動力耕耘機やトラクタ）の連結部に連結され、連続した畝を１行程で形成する畝形成作業を行う作業器が、例えば特許文献２により周知である。これらの作業器は、それぞれ単一の作業を行うものである。
【特許文献１】特開平１１−１３７００１号公報
【特許文献２】特開２００１−１２８５０１号公報
【発明の開示】
【発明が解決しようとする課題】
【０００３】
ところで、上記従来の作業器においては、それぞれ単一の作業を行うものであり、それぞれの作業器を購入する必要があった。このため、経済的負担が大きくなる、という問題点があった。また、畝形成作業を行う作業器において、丸畝を形成する場合と、平畝を形成する場合とがあるが、それぞれ専用の整形板を用意する必要があった。
本発明は、上記各種の問題点を解決するようにした外盛り・培土、畝成形作業器を提供することを目的とする。
【課題を解決するための手段】
【０００４】
上記の目的を達成するために本発明は、以下の構成を特徴としている。
Ａ．牽引車の連結部に連結されるヒッチ部と、該ヒッチ部に長さ方向中央部分が固着され、牽引車の移動方向と直交する左右水平方向に所定長さで延びる作業部取付け杆と、該作業部取付け杆の左右両側部に、作業部を支持して左右移動、固定可能、かつ左右入れ替え可能に嵌挿される作業部支持部と、該作業部支持部に支持され、左右中央部分から左右に分離可能の左右一対の作業部と、を備え、
前記作業部は、左右の中央部分を対向させた状態で作業する第１の作業位置では土壌を左右両側に盛り上げる外盛り作業、あるいは左右に培土する培土作業を行い、左右の中央部分が左右両側位置となるように入れ替えて作業する第２の作業位置では畝形成作業を行う。
【０００５】
Ｂ．前記作業部は、第１の作業位置における中央部分において土壌を掘り上げて左右に送り出す掘り上げ刃部と、該掘り上げ刃部の底部に設けられ、土壌面に接して掘り上げ刃部を安定して移動させる底板と、掘り上げ刃部により掘り上げられた土壌を側方に向け盛り上げる成形板と、からなる。
Ｃ．前記作業部は、第１の作業位置における中央部分の前側に、前記掘り上げ刃部とは別の所定幅を有するスキ先刃を設け、該スキ先刃の左右幅内で左右の作業部の間隔を調節可能とした。
Ｄ．前記作業部を第２の作業位置にして作業するとき、前記成形板の後部位置において上方から所定深さ位置まで成形板に対して嵌挿する畝形成板を上下反転可能に取付け、該畝形成板は、上下の一方に平畝を形成する直線状の平畝形成部を設け、他方に丸畝を形成する円弧状の丸畝形成部を設けた。
Ｅ．前記成形板の底部接地部分に、所定幅を有する接地安定板を設けた。
【発明の効果】
【０００６】
本発明の外盛り・培土、畝成形作業器は、上記の構成を有することにより、以下の効果を奏することができる。
イ．上記Ａ．の構成により、１つの作業器で、外盛り作業、あるいは左右に培土する培土作業や溝浚え作業と、畝形成作業とを行うことができる。従って、２つの作業機を購入する必要がなく、経済的である。
【０００７】
ロ．上記Ｂ．の構成により、掘り上げ刃部の底部に底板を設けることで、作業器の前後角度を調節した場合でも、底板が土壌面に接して掘り上げ刃部の土壌面への食い込みが回避され、を安定して移動させることができ、深さの一定した作業を行うことができる。
ハ．上記Ｃ．の構成により、左右の作業部の間隔を調節することで、所望幅の外盛り作業、あるいは左右に培土する培土作業や溝浚え作業を行うことができる。
ニ．上記Ｄ．の構成により、１枚の畝形成板を、上下反転して使用することで、平畝形成部により平畝を形成し、丸畝形成部により丸畝を形成することができる。
ホ．上記Ｅ．の構成により、接地安定板により成形板の地中への食い込みが阻止され、高さの一定した畝を成形することができる。
【発明を実施するための最良の形態】
【０００８】
以下、本発明を実施するための最良の形態について、添付の図面を参照しながら具体的に説明する。
図１は、本発明に係る外盛り・培土、畝成形作業器を、外盛り・培土作業を行う状態にセットした正面図である。図２は、図１の背面図である。図３は、図１の右前方から見た斜視図である。図４は、本発明に係る外盛り・培土、畝成形作業器を、丸畝成形作業を行う状態にセットした正面図である。図５は、同背面図である。図６は、本発明に係る外盛り・培土、畝成形作業器を、平畝成形作業を行う状態にセットした背面図である。図７は、図６の右前方から見た斜視図である。図８の（ａ）は、図１〜図３の状態で作業して形成される外盛り、あるいは培土の断面図、（ｂ）は、図４及び図５の状態で作業して形成される丸畝の断面図、（ｃ）は、図６及び図７の状態で作業して形成される平畝の断面図である。
【実施例１】
【０００９】
図１〜３において、符号１は図示しない周知の動力耕耘機あるいはトラクタ（牽引車）に装着されて、牽引車の走行に伴って、耕起された土壌を左右両側に盛り上げる外盛り作業、あるいは左右の作物畝に対して培土する培土作業と、畝形成作業を行うことができる外盛り・培土、畝成形作業器である。この外盛り・培土、畝成形作業器１は、牽引車の連結部に連結されるヒッチ部２と、該ヒッチ部２に長さ方向中央部分が連結され、牽引車の移動方向と直交する左右水平方向に所定長さで延びる作業部取付け杆３と、該作業部取付け杆３の左右両側部に、作業部４を支持して左右移動、ネジ式の固定具５ａにより固定・固定解除可能、かつ左右入れ替え可能に嵌挿される作業部支持部５と、該作業部支持部５に支持され、左右中央部分から左右に分離可能の左右一対の作業部４，４と、を備えている。前記ヒッチ部２と作業部取付け杆３との間に、作業部支持部５を介して支持される作業部４の上下角度を、調節ネジ６ａの回動により調節することができる作業部前後角度調節装置６を設けている。
【００１０】
前記作業部４，４は、左右の中央部分に、金属刃体からなり、前進移動により土壌を掘り上げる掘り上げ刃部７，７を配設し、該掘り上げ刃部７，７に、背面側から上下の当て板１０及び複数のボルト・ナット９を介して、土壌の滑りが良く土壌が付着し難い合成樹脂板からなり、掘り上げ刃部７，７により掘り上げられた土壌を側方に向け盛り上げる成形板８，８を、掘り上げ刃部７，７の面と平滑になるように取付けている。掘り上げ刃部７，７及び成形板８，８は、この実施例のように、掘り上げ刃部７，７を左右の中央部分において対向させた状態で作業する第１の作業位置では、土壌を左右両側に盛り上げる外盛り作業、あるいは作物畝に対して左右から培土する培土作業を行う。また作業部４，４は、後述する図４〜図７の実施例のように、掘り上げ刃部７，７が左右両側位置となり、成形板８，８が内側位置となるように作業部支持部５を介して入れ替えて作業する第２の作業位置では、畝形成作業を行う。
【００１１】
前記掘り上げ刃部７には、正面側の作業部分から後方に向け側板７ａを一体的に設け、この側板７ａと掘り上げ刃部７とを上下方向の連結部材により連結し、この連結部材の上部を前記作業部支持部５に固着している。掘り上げ刃部７及び側板７ａの底部間には、前記作業部前後角度調節装置６により作業部４の上下角度を調節した場合でも、広い面積で土壌面に接して掘り上げ刃部７及び側板７ａの土壌面への無用な食い込みを防止し、安定して移動させる底板７ｂを設けている。また、側板７ａ，７ａは、掘り上げ刃部７，７を対向させた状態で、作業部４，４の背面側でボルト・ナット（蝶ネジ）１１，１１により着脱可能に連結されている。
【００１２】
前記成形板８，８は、掘り上げ刃部７，７に連結されて、成形板８，８により掘り上げられた土壌を側方に向け盛り上げる盛り上げ部分と、該盛り上げ部分から後方に所定長さ半円弧状に延び、盛り上げ部分により盛り上げられた土壌を半円状に押しつけて半畝を形成する成形部分とにより構成されている。盛り上げ部分に対して成形部分は背面側において多数のリブを介して補強して連結され、また、成形部分自体の背面側に多数のリブを設けて補強している。この成形板８，８の成形部分の背面側に連結支持部８ａ，８ａが設けられ、この連結支持部８ａ，８ａ間を連結杆１２により連結している。また、成形部分には、左右一対の支持板８ｂ，８ｂが立設され、この支持板８ｂ，８ｂには左右方向に長い取付け孔８ｃ，８ｃが形成されており、該支持板８ｂ，８ｂ及び取付け孔８ｃ，８ｃを介して、土壌の盛り上げを助長する弾性板体からなる成形補助板を取付けても良いものである。さらに、成形部分の前後方向に延びる底部接地部分に、所定幅を有する接地安定板８ｄ，８ｄを設けている。
【００１３】
この実施例では、作業部４，４を、掘り上げ刃部７，７を対向させた状態で側板７ａ，７ａをボルト・ナット（蝶ネジ）１１，１１により連結して、第１の作業位置における土壌を左右両側に盛り上げる外盛り作業、あるいは左右に培土する培土作業を行うようにしているが、これを、中央部分の掘り上げ刃部７，７の前側に、図１に仮想線で示すように掘り上げ刃部７，７とは別に所定幅を有するスキ先刃１３を、作業部取付け杆３に上端部を固着して設け、側板７ａ，７ａのボルト・ナット（蝶ネジ）１１，１１による連結、及び連結杆１２による成形板８，８の連結を解除し、固定具５ａ，５ａ及び作業部支持部５，５により掘り上げ刃部７，７及び成形板８，８を作業部取付け杆３に沿って左右移動、固定させ、該スキ先刃１３の左右幅内で掘り上げ刃部７，７及び成形板８，８の左右間隔を調節可能にしても良いものである。
【００１４】
上記のように構成された実施例１の外盛り・培土、畝成形作業器１の動作について説明する。
外盛り・培土、畝成形作業器１は、ヒッチ部２を動力耕耘機あるいはトラクタなどの牽引車に装着して牽引され、耕耘された土壌、あるいは作物栽培畝間の溝の土壌を掘り上げ刃部７，７により掘り上げ、掘り上げられた土壌を成形板８，８により左右両側に盛り上げる外盛り作業、あるいは左右の作物畝に対して培土する培土作業を行う。そして、図７（ａ）に示す外盛り、あるいは培土１６を形成する。成形板８，８は、土壌の滑りが良く土壌が付着し難い合成樹脂板により形成されているので、作業抵抗が少なく、土壌の付着がほとんどなく、きれいな外盛り作業、あるいは培土作業が行われる。また、成形板８，８の成形部分の前後方向に延びる底部接地部分に、所定幅を有する接地安定板８ｄ，８ｄが設けられているので、成形板８，８の地中への沈下が阻止され、高さの一定した外盛り作業、あるいは培土作業が行われる。
【実施例２】
【００１５】
図４及び図５の実施例２においては、作業部取付け杆３に対して、作業部４，４を、図１〜３の実施例１においては左右の中央部分に位置していた掘り上げ刃部７，７が左右両側位置となり、成形板８，８が中央寄りとなるように入れ替えて、第２の作業位置にして丸畝形成作業を行うようにしている。実施例１と同じ構成部分については、同じ符号を付して説明を省略する。前記成形板８，８の支持板８ｂ，８ｂには、取付け孔８ｃ，８ｃ及びボルト・ナット１５，１５を介して畝形成板１４を上下反転可能に取付けている。この畝形成板１４は、上下の一方に平畝を形成する直線状の平畝形成部１４ｂを設け、他方に丸畝を形成する円弧状の丸畝形成部１４ａを設けており、この実施例では丸畝形成部１４ａを下にして、成形板８，８の成形部分の後部位置に形成したスリット８ｅ，８ｅに対して上方から所定深さ位置まで嵌挿し、畝形成板１４に形成した上下方向に長さの長い長孔１４ｃ，１４ｃ及びボルト・ナット１５，１５を介して、上下移動調節可能に取付けている。
【００１６】
このような構成の実施例２の外盛り・培土、畝成形作業器１においては、実施例１と同様にヒッチ部２を動力耕耘機あるいはトラクタなどの牽引車に装着して牽引されて、耕耘された土壌に対して前進させると、掘り上げ刃部７，７により掘り上げられた土壌は成形板８，８により中央寄りに盛り上げられ、上部は畝形成板１４の丸畝形成部１４ａにより丸形に形成され、左右両側部は成形板８，８の成形部分により円弧状に形成され、全体として図７（ｂ）に示す丸畝１７が形成される。
【実施例３】
【００１７】
図５及び図６においては、図４及び図５の実施例２における畝形成板１４を上下反転して、平畝形成部１４ｂを下にして、成形板８，８の成形部分の後部位置に形成したスリット８ｅ，８ｅに対して上方から所定深さ位置まで嵌挿し、畝形成板１４に形成した上下方向に長さの長い長孔１４ｃ，１４ｃ及びボルト・ナット１５，１５を介して上下移動調節可能に取付けたものである。その他の構成は図４及び図５の実施例２と同様である。
【００１８】
このような構成の実施例３の外盛り・培土、畝成形作業器１においては、実施例１及び実施例２と同様にヒッチ部２を動力耕耘機あるいはトラクタなどの牽引車に装着して牽引されて、耕耘された土壌に対して前進させると、掘り上げ刃部７，７により掘り上げられた土壌は成形板８，８により中央寄りに盛り上げられ、上部が畝形成板１４の平畝形成部１４ｂにより平らに形成され、左右両側部は成形板８，８の成形部分により円弧状に形成され、全体として図７（ｃ）に示すような平畝１８が形成される。
【産業上の利用可能性】
【００１９】
本来１つの作業器を、左右中央部分から左右に２つに分離可能、かつ左右入れ替え可能とし、左右への外盛り作業、あるいは培土作業と、畝形成作業との２つの作業が行えるようにし、しかも畝形成作業においては丸畝と平畝が１枚の整形板により成形することができる外盛り・培土、畝成形作業器を提供できる。
【図面の簡単な説明】
【００２０】
【図１】本発明に係る外盛り・培土、畝成形作業器を、外盛り・培土作業を行う状態にセットした正面図である。
【図２】同背面図である。
【図３】同右前方からの斜視図である。
【図４】本発明に係る外盛り・培土、畝成形作業器を、丸畝成形作業を行う状態にセットした正面図である。
【図５】同背面図である。
【図６】本発明に係る外盛り・培土、畝成形作業器を、平畝成形作業を行う状態にセットした背面図である。
【図７】同右前方からの斜視図である。
【図８】（ａ）は、図１〜図３の状態で作業して形成される外盛り、あるいは培土の断面図、（ｂ）は、図４及び図５の状態で作業して形成される丸畝の断面図、（ｃ）は、図６及び図７の状態で作業して形成される平畝の断面図である。
【符号の説明】
【００２１】
１  外盛り・培土、畝成形作業器
２  ヒッチ部
３  作業部取付け杆
４  作業部
５  作業部支持部  ５ａ  ネジ式固定具
６  作業部前後角度調節装置  ６ａ  調節ネジ
７  掘り上げ刃部  ７ａ  側板  ７ｂ  底板
８  成形板  ８ａ  連結支持部  ８ｂ  支持板  ８ｃ  取付け孔  ８ｄ  接地安定板  ８ｅ  スリット
９  ボルト・ナット
１０  当て板
１１  ボルト・ナット（蝶ナット）
１２  連結杆
１３  スキ先刃
１４  畝形成板  １４ａ  丸畝形成部  １４ｂ  平畝形成部  １４ｃ  長孔
１５  ボルト・ナット
１６  外盛り、あるいは培土
１７  丸畝
１８  平畝
【図１】
2005052095.tif 000003
【図２】
2005052095.tif 000004
【図３】
2005052095.tif 000005
【図４】
2005052095.tif 000006
【図５】
2005052095.tif 000007
【図６】
2005052095.tif 000008
【図７】
2005052095.tif 000009
【図８】
2005052095.tif 000010